(57)【要約】【課題】装着する際に陰茎を傷つけにくいとともに容易に装着でき、排泄液の漏れを防止できる男性用使い捨て吸収性物品を提供する。【解決手段】内面シート、外面シート、および、これら内面シートと外面シートとの間に位置する吸収体５を有する帯状部材２を備える。この帯状部材２は、内面シート側が対向して配置された第１の帯状部材６と第２の帯状部材７とで袋状に形成する。また、帯状部材２は、長手方向の両端に位置する一端縁部11および他端縁部12と、幅方向の両端に位置する一側縁部13および他側縁部14とを有する。第１の帯状部材６は、吸収体５が配置されていない吸収体非配設部17を有する。この吸収体非配設部17には、第１の帯状部材６を貫通した挿入部18を設ける。この挿入部18は、一端縁部11側に位置する上辺21と、他端縁部12側に位置する下辺22とが略平行で長さが異なる略台形状である。【選択図】図１
2015223217.tif 000002
【特許請求の範囲】
【請求項１】
内面側に位置する内面シート、外面側に位置する外面シートおよびこれら内面シートと外面シートとの間に位置する吸収体を有する帯状部材を備え、
この帯状部材は、前記内面シート側同士が対向するように配置された第１の帯状部材と第２の帯状部材とから構成されているとともに、一方向の両端に位置する一端縁部および他端縁部と、一方向に垂直な他方向の両端に位置する一側縁部および他側縁部とを有し、前記他端縁部側が閉塞され前記一端縁部側が開口された袋状に形成され、
前記第１の帯状部材は、前記吸収体が配置されていない吸収体非配設部を有し、
この吸収体非配設部には、前記第１の帯状部材を貫通し陰茎を挿入可能な挿入部が設けられ、
この挿入部は、前記一端縁部側に位置する上辺と、他端縁部側に位置する下辺とが略平行で長さが異なる略台形状である
ことを特徴とする男性用使い捨て吸収性物品。
【請求項２】
挿入部は、略Ｘ字形状に設けられた切り込みにて形成され、
一方向の一端縁部側に位置し折返し可能な一端挿入フラップおよび一方向の他端縁部側に位置し折返し可能な他端挿入フラップと、他方向の一側縁部側に位置し折返し可能な一側挿入フラップおよび他方向の他側縁部側に位置し折返し可能な他側挿入フラップとを有し、
これら一端挿入フラップと他端挿入フラップと一側挿入フラップと他側挿入フラップとが折返されることにより略台形状に開口可能である
ことを特徴とする請求項１記載の男性用使い捨て吸収性物品。
【請求項３】
第１の帯状部材は、一側縁部および他側縁部の一部が第２の帯状部材に接合された接合領域と、この接合領域より一方向の一端縁部側に位置し第２の帯状部材に接合されていない非接合領域とを有し、
この非接合領域は、前記接合領域と前記非接合領域との境界部分にて折返し可能であり、
挿入部は、前記接合領域から前記非接合領域にわたって配置されている
ことを特徴とする請求項１または２記載の男性用使い捨て吸収性物品。
【請求項４】
帯状部材は、第１の帯状部材および第２の帯状部材の一側縁部および他側縁部において少なくとも外面シートが内面シートの内面側に折返された折返し部と、この折返し部が前記内面シートに接合された折返し接合部と、第１の帯状部材の折返し部と第２の帯状部材の折返し部とが接合された内部接合部とを有し、
前記内部接合部は、他方向において前記折返し接合部が位置する範囲にてこの折返し接合部より小さく配設されている
ことを特徴とする請求項１ないし３のいずれか一記載の男性用使い捨て吸収性物品。
【発明の詳細な説明】
【技術分野】
【０００１】
本発明は、乳幼児用、大人用あるいは失禁用等の男性用使い捨て吸収性物品に関する。
【背景技術】
【０００２】
従来、この種の男性用使い捨て吸収性物品としては、吸収材と、この吸収材を両側から被覆する被覆シートとを有するパッド本体を備えた吸収パッドであって、パッド本体を略袋状にすることで形成される互いに対向するパッド部を有し、これら互いに対向するパッド部のうち、一方のパッド部に吸収材が設けられ、他方のパッド部に吸収材が設けられず、吸収材が設けられていない他方のパッド部に袋の内部と外部とを連通する挿入部が形成された構成が知られている。そして、このような構成の男性用使い捨て吸収性物品では、挿入部は、十字形状や円形状に切り込まれたスリット部が開口することにより形成される。また、パッド本体は、開口部を有する袋状になるように、一部が閉鎖状態で他の部分が非閉鎖状態であり、吸収材が配設されていないパッド部は、その非閉鎖状態の部位で折返し可能で、挿入部がパッド部の折返し部分に形成されている（例えば、特許文献１参照。）。
【先行技術文献】
【特許文献】
【０００３】
【特許文献１】特開２００２−３３６２８５号公報
【発明の概要】
【発明が解決しようとする課題】
【０００４】
ここで、挿入部に陰茎を挿入および抜去させやすくするには、挿入部を大きくする必要がある一方、装着状態にて陰茎が挿入部から抜けにくくする必要もあるため、挿入部の大きさを予め規定するのは困難である。
【０００５】
また、上記特許文献１に記載された男性用使い捨て吸収性物品のように、十字形状にスリットが設けられた場合、スリットを開口した状態の挿入部の形状が菱形となるため、装着する際に、狭くなった角部に陰茎が接触して陰茎を傷つけてしまう可能性が考えられる。
【０００６】
さらに、特許文献１に記載された男性用使い捨て吸収性物品を装着する際には、袋状のパッド本体の内側から挿入部に指を入れて陰茎を摘んで、挿入部からパッド本体の内部に陰茎を位置させるが、開口状態の挿入部の形状が菱形だと上側の角部および下側の角部が細く指を通しにくいため、装着しにくい可能性が考えられる。
【０００７】
また、開口状態の挿入部の形状を円形状とした場合は、挿入しやすくするために開口面積を大きくすると抜けやすくなってしまい、開口面積を小さくすると挿入しにくく装着しにくい問題が考えられる。
【０００８】
さらに、折返し可能な折返し部分に挿入部が配置されていると、装着状態で折返し部分が折返されることで折返し部分とともに挿入部が移動して位置ずれが生じやすいため、排泄液の漏れの原因となる可能性が考えられる。
【０００９】
本発明はこのような点に鑑みなされたもので、装着する際に陰茎を傷つけにくいとともに容易に装着でき、排泄液の漏れを防止できる男性用使い捨て吸収性物品を提供することを目的とする。
【課題を解決するための手段】
【００１０】
請求項１に記載された男性用使い捨て吸収性物品は、内面側に位置する内面シート、外面側に位置する外面シートおよびこれら内面シートと外面シートとの間に位置する吸収体を有する帯状部材を備え、この帯状部材は、前記内面シート側同士が対向するように配置された第１の帯状部材と第２の帯状部材とから構成されているとともに、一方向の両端に位置する一端縁部および他端縁部と、一方向に垂直な他方向の両端に位置する一側縁部および他側縁部とを有し、前記他端縁部側が閉塞され前記一端縁部側が開口された袋状に形成され、前記第１の帯状部材は、前記吸収体が配置されていない吸収体非配設部を有し、この吸収体非配設部には、前記第１の帯状部材を貫通し陰茎を挿入可能な挿入部が設けられ、この挿入部は、前記一端縁部側に位置する上辺と、他端縁部側に位置する下辺とが略平行で長さが異なる略台形状であるものである。
【００１１】
請求項２に記載された男性用使い捨て吸収性物品は、請求項１記載の男性用使い捨て吸収性物品において、挿入部は、略Ｘ字形状に設けられた切り込みにて形成され、一方向の一端縁部側に位置し折返し可能な一端挿入フラップおよび一方向の他端縁部側に位置し折返し可能な他端挿入フラップと、他方向の一側縁部側に位置し折返し可能な一側挿入フラップおよび他方向の他側縁部側に位置し折返し可能な他側挿入フラップとを有し、これら一端挿入フラップと他端挿入フラップと一側挿入フラップと他側挿入フラップとが折返されることにより略台形状に開口可能であるものである。
【００１２】
請求項３に記載された男性用使い捨て吸収性物品は、請求項１または２記載の男性用使い捨て吸収性物品において、第１の帯状部材は、一側縁部および他側縁部の一部が第２の帯状部材に接合された接合領域と、この接合領域より一方向の一端縁部側に位置し第２の帯状部材に接合されていない非接合領域とを有し、この非接合領域は、前記接合領域と前記非接合領域との境界部分にて折返し可能であり、挿入部は、前記接合領域から前記非接合領域にわたって配置されているものである。
【００１３】
請求項４に記載された男性用使い捨て吸収性物品は、請求項１ないし３のいずれか一記載の男性用使い捨て吸収性物品において、帯状部材は、第１の帯状部材および第２の帯状部材の一側縁部および他側縁部において少なくとも外面シートが内面シートの内面側に折返された折返し部と、この折返し部が前記内面シートに接合された折返し接合部と、第１の帯状部材の折返し部と第２の帯状部材の折返し部とが接合された内部接合部とを有し、前記内部接合部は、他方向において前記折返し接合部が位置する範囲にてこの折返し接合部より小さく配設されているものである。
【発明の効果】
【００１４】
請求項１に記載された発明によれば、挿入部が略台形状であるため、挿入部に指を通しやすく、開口した挿入部の大きさを保持しやすいので、装着する際に陰茎を傷つけにくいとともに容易に装着できる。また、挿入部の上辺と下辺との長さが異なるため、装着状態で陰茎に対して挿入部が位置ずれしにくく、排泄液の漏れを防止できる。
【００１５】
請求項２に記載された発明によれば、一端挿入フラップと他端挿入フラップと一側挿入フラップと他側挿入フラップとを折返すことにより挿入部が略台形状に開口されるため、開口した挿入部の縁部に切断縁がなく、着用感を向上できる。また、挿入部を略Ｘ字形状の切り込みによって形成できるので、容易に製造でき製造時に切れ端が発生せず無駄なく製造できる。
【００１６】
請求項３に記載された発明によれば、挿入部が接合領域から非接合領域にわたって配置されているため、装着しやすく、装着状態にて陰茎に対して位置ずれしにくい。
【００１７】
請求項４に記載された発明によれば、内部接合部が、他方向において、折返し接合部が位置する範囲にてこの折返し接合部より小さく配設され、内部接合部と折返し接合部とが重なるように配置されているため、第１の帯状部材と第２の帯状部材とを確実に接合でき袋形状が安定する。また、内部接合部と折返し接合部とを重ねることで接合領域を小さくでき、接合によって一側縁部および他側縁部が硬くなることを抑制できる。
【図面の簡単な説明】
【００１８】
【図１】本発明の第１の実施の形態に係る男性用使い捨て吸収性物品の構成を示す平面図である。
【図２】同上男性用使い捨て吸収性物品を示す一部を切り欠いた平面図である。
【図３】（ａ）は同上男性用使い捨て吸収性物品の挿入部を示す平面図であり、（ｂ）は同上男性用使い捨て吸収性物品の挿入部を開口した状態を示す平面図である。
【図４】（ａ）および（ｂ）は本発明の男性用使い捨て吸収性物品における挿入部の変形例を示す平面図である。
【図５】本発明の第２の実施の形態に係る男性用使い捨て吸収性物品の構成を示す平面図である。
【図６】本発明の第３の実施の形態に係る男性用使い捨て吸収性物品の構成を示す断面図である。
【発明を実施するための形態】
【００１９】
以下、本発明の第１の実施の形態の構成について図面を参照しながら詳細に説明する。
【００２０】
図１および図２において、１は男性用使い捨て吸収性物品であり、この男性用使い捨て吸収性物品１は、シート状の帯状部材２を備える。
【００２１】
帯状部材２は、内面側に位置する内面シート３と、外面側に位置する外面シート４と、これら内面シート３と外面シート４との間に位置する吸収体５とを有する。
【００２２】
内面シート３は、排泄液を吸収体５へ透過できるように、例えば、織布、不織布、多孔性フィルム、合成繊維およびそれらの組み合わせたシート材等の液透過性シートにて形成されている。
【００２３】
外面シート４は、排泄液を透過させないように、例えば、織布、不織布、フィルム、合成繊維およびそれらの組み合わせたシート材等の液不透過性シートにて形成されている。また、外面シートは肌に触れるため、外面シート４をフィルム状の液不透過性シートで形成する場合は、不職布等の肌触りが良好なシートをフィルムの外面にラミネートすることが好ましい。
【００２４】
吸収体５は、内面シート３を透過した排泄液を吸収できるように、パルプや高分子吸収剤等の液吸収性を有する材料にて形成される。また、吸収体５の保形や吸収拡散等のためにクレープ紙でパルプを挟んだ構成等にしてもよい。
【００２５】
なお、吸収体５は図２に示すような矩形状の構成に限らず、例えば装着状態における腹部側から股間部側へ細い略逆三角形状に形成されて装着者の股間部にフィットしやすい構成等にしてもよい。
【００２６】
これらの内面シート３、外面シート４および吸収体５にて形成された帯状部材２は、内面シート３側同士が対向するように配置された第１の帯状部材６と第２の帯状部材７とを有している。なお、第１の帯状部材６は装着状態において装着者側に位置し、第２の帯状部材７は装着状態において衣服側に位置する。
【００２７】
このように第１の帯状部材６および第２の帯状部材７にて構成される帯状部材２は、一方向としての長手方向の一方の端部に位置する一端縁部11および長手方向の他方の端部に位置する他端縁部12と、長手方向に垂直な他方向としての幅方向の一方の端部に位置する一側縁部13および幅方向の他方の端部に位置する他側縁部14とを有し、平面視で略矩形状となるように、他端縁部12にて折り曲げられて第１の帯状部材６および第２の帯状部材７の内面シート３同士が対向している。
【００２８】
また、帯状部材２は、一側縁部13および他側縁部14において、他端縁部12から長手方向の中央部よりやや一端縁部11側の箇所まで接合部15にて接合されており、他端縁部12側が閉塞され一端縁部11側が開口された袋状に形成されている。なお、接合部15は、ホットメルト接着剤、熱シールおよび超音波接着等の公知の方法を適宜接合されている。
【００２９】
さらに、帯状部材２は、第１の帯状部材６の一端縁部11が第２の帯状部材７の一端縁部11より他端縁部12側に位置しており、開口した第１の帯状部材６の一端縁部11と第２の帯状部材７の一端縁部11との位置がずれている。すなわち、帯状部材２は、第２の帯状部材７の長手方向の長さが、第１の帯状部材６の長手方向の長さより長い。
【００３０】
図２に示すように、第２の帯状部材７では、他端縁部12から一端縁部11よりやや他端縁部12側の箇所まで矩形状の吸収体５が配設されており、吸収体５が配設されていない一端縁部11近傍の部分はフラップ部16となっている。
【００３１】
また、吸収体５は、第２の帯状部材７のみに配設されている。すなわち、第１の帯状部材６には吸収体５が配設されておらず、第１の帯状部材６全体が吸収体非配設部17となっている。
【００３２】
この吸収体非配設部17には、第１の帯状部材６、すなわち内面シート３および外面シート４を貫通して形成された、陰茎を挿入可能な挿入部18が設けられている。
【００３３】
挿入部18は、第１の帯状部材６の幅方向の略中心で長手方向の中心部よりやや一端縁部11側に位置している。
【００３４】
また、挿入部18は、一端縁部11側に位置する上辺21と、他端縁部12側に位置する下辺22とが平行で、上辺21より下辺22の長さが長い略台形状に開口可能である。
【００３５】
なお、挿入部18の開口の大きさは、適宜設計可能であるが、大きすぎると装着状態にて陰茎が抜けやすく、小さすぎると装着する際に陰茎を挿入しにくくなってしまう。実際には、上辺21の長さが２ｃｍ以上４ｃｍ以下で、上辺21の長さと下辺22の長さの差が０．５ｃｍ以上３ｃｍ以下となるように設計することが好ましい。なお、図１に示す挿入部18は、上辺21の長さが３ｃｍで、下辺22の長さが４ｃｍで、上辺21と下辺22との間の長さである高さが３ｃｍである構成が想定されている。
【００３６】
ここで、挿入部18は、図３（ａ）に示すように、略Ｘ字形状に交差して設けられた切り込み23，24にて開閉可能に形成されている。
【００３７】
すなわち、第１の帯状部材６を貫通する切り込み23，24が設けられたことによって、長手方向において一端縁部11側に位置する一端挿入フラップ25と、長手方向において他端縁部12側に位置する他端挿入フラップ26と、幅方向において一側縁部13側に位置する一側挿入フラップ27と、幅方向において他側縁部14側に位置する他側挿入フラップ28とが形成されている。
【００３８】
これら一端挿入フラップ25、他端挿入フラップ26、一側挿入フラップ27および他側挿入フラップ28は、図１に二点鎖線で示す台形状の仮想線にて折返し可能である。
【００３９】
また、挿入部18の上辺21の長さが下辺22の長さより短いため、一端挿入フラップ25が他端挿入フラップ26より小さく、一側挿入フラップ27と他側挿入フラップ28とが対称な同形状である。
【００４０】
そして、挿入部18は、図３（ｂ）に示すように、一端挿入フラップ25と、他端挿入フラップ26と、一側挿入フラップ27と、他側挿入フラップ28とを折返すことにより等脚台形状に開口される。
【００４１】
次に、上記第１の実施の形態の作用および効果を説明する。
【００４２】
男性用使い捨て吸収性物品１は、袋状の帯状部材２の開口された一端縁部11側が上側（装着者の胴体側）で、閉塞された他端縁部12側が下側（装着者の脚側）となるように装着する。
【００４３】
男性用使い捨て吸収性物品１を装着する際には、帯状部材２における開口された一端縁部11側から内側に手を入れ、第１の帯状部材６の内側である内面シート３側から外側である外面シート４側に指が出るように、挿入部18に指を通す。
【００４４】
挿入部18に指を通す際には、例えば、親指、人差し指および中指の３本の指を挿入部18へ入れて、親指が上辺21側に位置し、人差し指および中指が下辺22側に位置するように指を入れる。なお、挿入部18は、上辺21の長さより下辺22の長さが長いため、人差し指および中指の２本の指が下辺22側に位置するように、容易に指を通すことができるとともに、挿入部18の開口の大きさを確保しやすい。
【００４５】
挿入部18に指を通し挿入した指を広げることにより、一端挿入フラップ25と、他端挿入フラップ26と、一側挿入フラップ27と、他側挿入フラップ28とを折返して挿入部18を開口する。
【００４６】
そして、開口した状態の挿入部18に陰茎を挿入する。挿入部18に陰茎を挿入する際には、挿入部18から外側に出している指で陰茎を摘んで帯状部材２の内側に引っ張るようにして挿入部18に挿入する。なお、挿入部18は上辺21の長さより下辺22の長さが長く、下辺22側が、上辺21側より開口面積が広いため、陰茎を挿入させやすい。
【００４７】
挿入部18に挿入した陰茎は、他側縁部14側である脚側を向くように配置させて、装着者が袋の底に向かって排尿するような状態にする。
【００４８】
陰茎を挿入部18に挿入した後は、開口側である一端縁部11側から手を抜き出し、パンツやアウター型紙おむつ等を装着する。
【００４９】
なお、装着者の陰茎の向きに応じて、帯状部材２の装着位置を変更可能である。例えば、陰茎が上向きの場合には、開口側である一端縁部11を下側である脚側とし、他側縁部14側を胴体側にして装着してもよい。
【００５０】
そして、上記男性用使い捨て吸収性物品１によれば、挿入部18が略台形状であるため、挿入部18に指を通す際には、陰茎を摘むための親指、人差し指および中指が上下に位置した状態でこれらの指を挿入部18に通しやすい。そのため、開口した挿入部18の大きさを保持しやすい。
【００５１】
また、略台形状に開口した状態を保持することで、上辺21および下辺22のうち、長さが短い方の両角部を鈍角にできるとともに、長さが内外方の両角部が鋭角となるが長さを長く確保できるため、開口面積を大きく確保できる。したがって、例えば特許文献１に記載された菱形の場合に比べて角部が狭くなりにくく、装着する際に陰茎を傷つけにくい。
【００５２】
さらに、挿入部18は、上辺21と下辺22との長さが異なるため、陰茎を挿入する際には上辺21および下辺22のうちの長い方から挿入することで挿入しやすいとともに、挿入状態では、上辺21および下辺22のうちの短い方に陰茎を配置することで挿入部18に陰茎が挿入された状態が安定しやすい。そのため、装着する際に陰茎を挿入部18に挿入しやすく容易に装着できるとともに、装着状態で陰茎に対して挿入部18が位置ずれしにくく、位置ずれによる帯状部材２からの排泄液の漏れを防止できる。
【００５３】
特に、挿入部18における上辺21の長さが下辺22の長さより短い場合には、排尿後に排泄液の重さが加わっても、挿入部18において幅の狭い上辺21と両側縁とで陰茎が挟持されるように挿入部18と陰茎とが密着して、陰茎に対する挿入部18の位置ずれをより確実に防止できる。
【００５４】
挿入部18は、切り込み23，24により、一端挿入フラップ25、他端挿入フラップ26、一側挿入フラップ27および他側挿入フラップ28が形成され、一端挿入フラップ25、他端挿入フラップ26、一側挿入フラップ27および他側挿入フラップ28を折返すことにより略台形状に開口されるため、開口状態である挿入部18の縁部に切断縁がなく、挿入状態では、一端挿入フラップ25、他端挿入フラップ26、一側挿入フラップ27および他側挿入フラップ28が陰茎を包むように接触する。そのため、切断縁が形成された構成に比べて着用感を向上できる。また、略Ｘ字形状に切り込み23，24を設けるだけで挿入部18を形成できるので、容易に製造できるとともに製造時に切れ端が発生せず無駄なく製造できる。
【００５５】
帯状部材２は、開口側である一端縁部11にて第１の帯状部材６と第２の帯状部材７との長手方向の長さが異なりずれるように配置されていることにより、装着する際に帯状部材２を開口しやすい。さらに、挿入部18が設けられていない第２の帯状部材７の長手方向の長さが、第１の帯状部材６の長手方向の長さより長いことにより、吸収体５を長く配設できる。
【００５６】
また、帯状部材２は、挿入部18が第１の帯状部材６の長手方向における中心部より開口側である一端縁部11に配置されていることにより、例えば長手方向における中心部より他端縁部12側に配置された構成に比べて袋状の帯状部材２の開口から挿入部18までの距離が短くなる。そのため、装着する際に、帯状部材２の開口から手を挿入する距離が短くなり、装着しやすい。
【００５７】
なお、上記第１の実施の形態では、１つのシート体を折り曲げることにより、第１の帯状部材６と第２の帯状部材７とが形成された構成としたが、このような構成には限定されず、第１の帯状部材６用シート体および第２の帯状部材用のシート体を別個に用いて、他端縁部12、一側縁部13および他側縁部14で第１の帯状部材６と第２の帯状部材７とを接合することにより、袋状に形成された構成等にしてもよい。
【００５８】
また、第１の帯状部材６および第２の帯状部材７は、長手方向および幅方向を有する矩形状である構成としたが、このような構成には限定されず、例えば平面視で正方形状の構成等のように適宜設計可能である。
【００５９】
帯状部材２は、第２の帯状部材７にのみ吸収体５が配設された構成としたが、このような構成には限定されず、少なくとも第２の帯状部材７に吸収体５が配設され、第１の帯状部材６が吸収体非配設部17を有していればよい。すなわち、第２の帯状部材７から第１の帯状部材６にわたって吸収体５が配設された構成にしてもよい。このように第１の帯状部材６および第２の帯状部材７の両方に吸収体５が配設された構成では、一体の吸収体５を配設する必要はなく、それぞれ別体の吸収体５が配設された構成にしてもよい。
【００６０】
挿入部18は、第１の帯状部材６の幅方向の略中心で長手方向の中心部より一端縁部11側に配置された構成としたが、このような構成には限定されず、挿入部18の配設位置は、吸収体非配設部17であれば適宜決定できる。
【００６１】
また、挿入部18は、上辺21より下辺22の長さが長い等脚台形状である構成としたが、このような構成には限定されず、上辺21と下辺22との長さが異なる略台形状であればよく、例えば下辺22より上辺21が長い構成や等脚台形状ではない構成等にしてもよい。
【００６２】
挿入部18の下辺22より上辺21の長さが長い構成の場合には、装着する際に、親指および中指が上辺21側に位置し、人差し指が下辺22側に位置するようにする。
【００６３】
さらに、挿入部18は、切り込み23，24にて形成された、一端挿入フラップ25と、他端挿入フラップ26と、一側挿入フラップ27と、他側挿入フラップ28とを折返すことにより開口される構成としたが、このような構成には限定されず、例えば、略台形状の開口である構成等にしてもよい。また、挿入部18を、フラップにて開閉可能な構成にする場合には、フラップの数や形状は適宜選択できる。
【００６４】
また、挿入部18は、一端挿入フラップ25、他端挿入フラップ26、一側挿入フラップ27および他側挿入フラップ28の折返し状態が維持されて挿入部18が常時開口されている必要はなく、一端挿入フラップ25、他端挿入フラップ26、一側挿入フラップ27および他側挿入フラップ28が折返し可能であれば、挿入部18の形状に沿って折返し線が設けられた構成、および、折返し線が設けられていない構成のいずれでもよい。
【００６５】
さらに、挿入部18が判別しやすくなるように、例えば切り込み23，24に沿って着色する等して目印が設けられた構成にしてもよい。
【００６６】
また、挿入部18は、図４（ａ）に示す変形例のように、切り込み23，24における下辺22側の端部に補助切り込み29が設けられ、切り込み23，24の端部が略矢印状である構成にしてもよい。このような構成にすることにより、図４（ｂ）に示すように、一端挿入フラップ25、他端挿入フラップ26、一側挿入フラップ27および他側挿入フラップ28を折返して挿入部18を開口した状態において、挿入部18の下辺22の両端に位置する角部が鈍角形状となる。そのため、陰茎が挟まりにくく陰茎を傷つけることを防止できるとともに、一端挿入フラップ25、他端挿入フラップ26、一側挿入フラップ27および他側挿入フラップ28を折返す際に、挿入部18が角部から裂けることを防止できる。
【００６７】
なお、図４（ａ）および図４（ｂ）では、挿入部18の下辺22側にのみ補助切り込み29が設けられた構成としたが、上辺21側にも補助切り込み29が設けられた構成にしてもよい。
【００６８】
次に、第２の実施の形態を図５を参照して説明する。なお、上記第１の実施の形態と同一の構成及び作用については、同一符号を付してその説明を省略する。
【００６９】
図５に示すように、帯状部材２は、一側縁部13および他側縁部14に配置された直線状の接合部31にて第１の帯状部材６が第２の帯状部材７に接合されて、他端縁部12側が閉塞され一端縁部11側が開口された袋状に形成されている。
【００７０】
接合部31は、帯状部材２の他端縁部12から長手方向に沿って開口側である一端縁部11側へ向かって長手方向の略中心部分に接合端が位置するように配置されている。
【００７１】
すなわち、第１の帯状部材６は、長手方向において、接合部31にて第２の帯状部材７に接合された接合領域32と、第２の帯状部材７に接合されていない非接合領域33とを有する。
【００７２】
また、第１の帯状部材６は、接合部31の一端縁部11側の端部を結ぶように、図５に二点鎖線で示す折返し線34が設けられている。すなわち、折返し線34は接合領域32と非接合領域33との境界部分に配置されており、第１の帯状部材６は、折返し線34によって接合領域32と非接合領域33とに区画されている。
【００７３】
そして、第１の帯状部材６は、折返し線34を基準として、非接合領域33の外面シート４が接合領域32の外面シート４と対向するように、第２の帯状部材７から離間する方向へ折返し可能である。
【００７４】
このような構成の帯状部材２において、挿入部18は、第１の帯状部材６の接合領域32から非接合領域33にわたって配置されている。すなわち、挿入部18は、接合領域32と非接合領域33との境界部分である折返し線34を跨ぐように配置されている。
【００７５】
ここで、例えば、挿入部18が非接合領域33のみに配置された構成であると、男性用使い捨て吸収性物品１を装着する際に、非接合領域33を折り返すことで帯状部材２の開口面積を大きくでき、挿入部18へ手を入れやすいので装着が容易であるものの、装着状態にて、折返し可能な非接合領域33は動きやすいため、挿入部18が位置ずれしやすく挿入部18から陰茎が抜けてしまう可能性が考えられる。
【００７６】
一方、例えば、挿入部18が接合領域32にのみ配置された構成であると、装着状態にて、接合領域が動きにくいため、挿入部18が位置ずれしにくく挿入部18から陰茎が抜けてしまうことを防止できるものの、帯状部材２の開口から挿入部18までの距離が遠くて指が届きにくくなるとともに、両側部が接合された接合領域32は変形しにくいため、帯状部材２の開口から挿入部18へ手を入れやすいように変形できず、装着が容易にできない可能性が考えられる。
【００７７】
そこで、挿入部18が接合領域32から非接合領域33にわたって配置されていることにより、帯状部材２の開口から挿入部18に手を入れやすいため装着し易い。また、挿入部18全体が変形および移動しないため、装着状態にて陰茎に対して挿入部18が位置ずれしにくく、抜けを防止できる。
【００７８】
また、図５に示すように、挿入部18が略Ｘ字形状に配置された切り込み23，24にて形成された構成では、折返し線34がＸ字形状の切り込み23，24の交差部分より他端縁部12側に配置され、他端挿入フラップ26上に折返し線34が配設された構成が好ましい。
【００７９】
このように折返し線34が他端挿入フラップ26上に配置されることにより、他端挿入フラップ26を折返す仮想線が第１の帯状部材６において折返されない接合領域32に位置するため、非接合領域33を折返し線34で折返したとしても、他端挿入フラップ26は前記仮想線で折り曲がりにくい。そのため、折返された非接合領域33とともに他端挿入フラップ26の先端部が装着者側へ起き上がりにくい。すなわち、非接合領域33を折返しても、他端挿入フラップ26のみが非接合領域33とともに折返されず、非接合領域33を折返す前の状態で維持されて、他端挿入フラップ26の先端が挿入部18内である第２の帯状部材７側に位置した状態となる。したがって、非接合領域33を折返し線34で折返すだけで、挿入部18における他端挿入フラップ26に対応する位置のみが開口され、挿入部18が確認しやすくなり、装着を容易にできる。
【００８０】
次に、第３の実施の形態を図６を参照して説明する。なお、上記各実施の形態と同一の構成及び作用については、同一符号を付してその説明を省略する。
【００８１】
図６に示すように、第１の帯状部材６および第２の帯状部材７は、一側縁部13および他側縁部14において外面シート４が内面シート３の内面側に折返されて形成された折返し部36を有している。
【００８２】
折返し部36は、一側縁部13および他側縁部14の全長にわたって設けられており、折返し接合部37にて内面シート３の内面側に接合されている。
【００８３】
折返し接合部37は、帯状部材２の一側縁部13および他側縁部14において折返された外面シート４の幅方向の略全域にわたって設けられている。すなわち、折返し部36は、折返し接合部37にて略全面にわたって内面シート３に接合されている。
【００８４】
第１の帯状部材６における折返し部36と第２の帯状部材７における折返し部36とは、内部接合部38にて接合されている。
【００８５】
内部接合部38は、帯状部材２の幅方向において、第１の帯状部材６の折返し部36および第２の帯状部材７の折返し部36が配置された領域の一部に設けられている。
【００８６】
すなわち、帯状部材２の幅方向において、折返し部36の幅ａの長さは内部接合部38の幅ｂの長さより長く、内部接合部38は、折返し接合部37が位置する範囲内にて、折返し接合部37より小さく配設されて、折返し接合部37と内部接合部38とが重なるように配置されている。
【００８７】
なお、帯状部材２の幅方向における折返し接合部37および内部接合部38の長さは、上述のように内部接合部38が、折返し接合部37が位置する範囲内にて折返し接合部37より小さく配設されていれば、それぞれ適宜設計できる。
【００８８】
また、内部接合部38が帯状部材２における長手方向の一部に設けられることにより、接合領域32と非接合領域33とが形成される。
【００８９】
なお、帯状部材２の長手方向における内部接合部38の長さは、上述のように接合領域32と非接合領域33とを区画する長さであると好ましいが、このような構成には限定されずに適宜設定でき、例えば、一側縁部13および他側縁部14の略全長にわたって設けられた構成などにしてもよい。
【００９０】
そして、帯状部材２の幅方向において、内部接合部38は、折返し接合部37が位置する範囲内にて、折返し接合部37より小さく配設され、折返し接合部37と内部接合部38とが重なるように配置されることにより、第１の帯状部材６と第２の帯状部材７とを確実に接合できるため、袋形状が安定する。すなわち、第１の帯状部材６の内面シート３と第２の帯状部材７の内面シート３とが外面シート４における折返し部36を構成する部分を介して接合された状態となるので、帯状部材２の一側縁部13および他側縁部14が強固に接合される。そのため、外面シート４や内面シート３が剥がれにくくなり、袋形状が安定する。
【００９１】
特に、折返し接合部37が略全面にわたって内面シート３に接合された構成にすると、第１の帯状部材６では、折返し部36と内面シート３との間に排泄液が入り込みにくいため、吸収体５へ向かって排泄液が流れやすく、排泄液を吸収体５にて吸収しやすいとともに、第２の帯状部材７では、折返し接合部37によっても吸収体５を固定できるため、吸収体５の位置ずれやよれの発生を防止できる。
【００９２】
また、内部接合部38と折返し接合部37とが重なるように配置されることにより、接合領域32を小さくでき、接合によって両側縁部が硬くなることを抑制できる。
【００９３】
なお、内部接合部38の幅が折返し接合部37の幅より大きいと、折返し接合部37において接合されていない折返し部36の外面シート４および内面シート３が内部接合部38の接合によって引っ張られた状態となってしまうため、袋形状が安定しないとともに、外面シート４や内面シート３に剥がれや破れが発生しやすくなる可能性がある。
【００９４】
上記第３の実施の形態では、折返し部36は、一側縁部13および他側縁部14にて外面シート４のみ折返された構成としたが、このような構成には限定されず、例えば内面シート３および外面シート４の両方が折返された構成にしてもよい。
【符号の説明】
【００９５】
１    男性用使い捨て吸収性物品
２    帯状部材
３    内面シート
４    外面シート
５    吸収体
６    第１の帯状部材
７    第２の帯状部材
11    一端縁部
12    他端縁部
13    一側縁部
14    他側縁部
17    吸収体非配設部
18    挿入部
21    上辺
22    下辺
23    切り込み
24    切り込み
25    一端挿入フラップ
26    他端挿入フラップ
27    一側挿入フラップ
28    他側挿入フラップ
32    接合領域
33    非接合領域
36    折返し部
37    折返し接合部
38    内部接合部
【図１】
2015223217.tif 000003
【図２】
2015223217.tif 000004
【図３】
2015223217.tif 000005
【図４】
2015223217.tif 000006
【図５】
2015223217.tif 000007
【図６】
2015223217.tif 000008